(57)【要約】      （修正有）【課題】ファクシミリデータ送信時の適切なタイミングで送信先ごとの送信サイズを設定できる仕組みを提供する。【解決手段】送信先ごとのファクシミリ送信サイズを記憶する記憶手段を備える情報処理装置であって、送信先に対してファクシミリデータを再送信する場合に、前回送信時とは異なる送信サイズが指定されたかを判定する判定手段と、前記異なる送信サイズが指定されたと判定された場合に、当該送信サイズを前記送信先に対するファクシミリ送信サイズとして登録するかを確認する画面を表示する表示制御手段とを備えることを特徴とする。【選択図】図１
2019083377.tif 000002
【特許請求の範囲】
【請求項１】
送信先ごとのファクシミリ送信サイズを記憶する記憶手段を備える情報処理装置であって、
送信先に対してファクシミリデータを再送信する場合に、前回送信時とは異なる送信サイズが指定されたかを判定する判定手段と、
前記異なる送信サイズが指定されたと判定された場合に、当該送信サイズを前記送信先に対するファクシミリ送信サイズとして登録するかを確認する画面を表示する表示制御手段と
を備えることを特徴とする情報処理装置。
【請求項２】
送信先ごとのファクシミリ送信サイズを記憶する記憶手段を備える情報処理装置であって、
送信先に対してファクシミリデータを送信する場合に、前記記憶されている当該送信先に対するファクシミリ送信サイズとは異なる送信サイズが指定されたかを判定する判定手段と、
前記異なる送信サイズが指定されたと判定された場合に、当該送信サイズを前記送信先に対するファクシミリ送信サイズとして登録するかを確認する画面を表示する表示制御手段と
を備えることを特徴とする情報処理装置。
【請求項３】
送信先ごとのファクシミリ送信サイズを記憶する記憶手段を備える情報処理装置であって、
送信先に対してファクシミリデータを送信する場合に、当該送信先に対して過去に送信したファクシミリデータが存在するかを判定する判定手段と、
前記存在すると判定された場合に、前記過去に送信したファクシミリデータの送信サイズを前記送信先に対するファクシミリ送信サイズとして登録するかを確認する画面を表示する表示制御手段と
を備えることを特徴とする情報処理装置。
【請求項４】
前記表示制御手段は、前記送信するファクシミリデータの送信サイズが、前記過去に送信したファクシミリデータの送信サイズと異なる場合に、前記送信するファクシミリデータの送信サイズを、前記過去に送信したファクシミリデータの送信サイズに変更して送信するかを確認する画面を表示することを特徴とする請求項３に記載の情報処理装置。
【請求項５】
前記送信先に対してファクシミリデータを送信する場合、前記記憶されている当該送信先に対するファクシミリ送信サイズに従って送信ファイルを作成する作成手段を備えることを特徴とする請求項１〜４のいずれか１項に記載の情報処理装置。
【請求項６】
送信先ごとのファクシミリ送信サイズを記憶する記憶手段を備える情報処理装置の制御方法であって、
判定手段が、送信先に対してファクシミリデータを再送信する場合に、前回送信時とは異なる送信サイズが指定されたかを判定する判定ステップと、
表示制御手段が、前記異なる送信サイズが指定されたと判定された場合に、当該送信サイズを前記送信先に対するファクシミリ送信サイズとして登録するかを確認する画面を表示する表示制御ステップと
を備えることを特徴とする情報処理装置の制御方法。
【請求項７】
送信先ごとのファクシミリ送信サイズを記憶する記憶手段を備える情報処理装置において実行可能なプログラムであって、
前記情報処理装置を、
送信先に対してファクシミリデータを再送信する場合に、前回送信時とは異なる送信サイズが指定されたかを判定する判定手段と、
前記異なる送信サイズが指定されたと判定された場合に、当該送信サイズを前記送信先に対するファクシミリ送信サイズとして登録するかを確認する画面を表示する表示制御手段
として機能させることを特徴とするプログラム。
【発明の詳細な説明】
【技術分野】
【０００１】
本発明は、ファクシミリ送信を行う情報処理装置に関する。
【背景技術】
【０００２】
通常、ファクシミリデータを送信する際、送信側のファクシミリ装置はオリジナルの原稿の用紙サイズを変更せずにそのまま送信するが、相手先によっては特定の用紙サイズでファクシミリデータ受信したい場合がある。例えば、送信側がＢ４サイズの原稿を送信する場合、そのままＢ４サイズで相手先にファクシミリデータ送信し、受信側でＢ４サイズに対応していればファクシミリ受信データをそのままＢ４サイズ用紙に印刷するが、対応していない場合には縮小や分割によりファクシミリ受信データを変換して対応サイズの用紙に印刷する。また、受信側のファクシミリ装置がＢ４サイズに対応している場合であっても、相手先でＢ４サイズの用紙をセットしていない場合には、印刷できず用紙切れエラーとなる。また、受信側のファクシミリ装置でＢ４サイズの用紙をセットしている場合にはそのまま印刷されるが、相手先でＡ４サイズが標準となっているような場合には、Ｂ４サイズに印刷されたものを縮小コピーしてＡ４サイズにする必要がある。
【０００３】
特許文献１には、ファクシミリ送信に際して、送信先とその送信先ファクシミリ装置の記録用紙幅を記憶しておき、次回その送信先に対してファクシミリ送信のために画像を生成する際に、画像幅が送信先ファクシミリ装置の記録用紙幅を上回っている場合、その場で警告を出してＰＣ操作者に知らせ、送信する方式をユーザが選択できる仕組みが提案されている。
【先行技術文献】
【特許文献】
【０００４】
【特許文献１】特開２００３−２８３７８４号公報
【発明の開示】
【発明が解決しようとする課題】
【０００５】
特許文献１に記載された仕組みでは、事前に送信先ごとに記録用紙幅を設定テーブルに設定しておく必要がある。
【０００６】
しかし、事前に送信先ごとの送信サイズを設定することは手間がかかり、また、事前に送信先に対する送信サイズがわからず、一度ファクシミリデータを送信したあとに送信先から連絡があり、当該送信先に対する送信サイズが判明することも多い。さらに、運用中のあるタイミングで送信先に対する送信サイズが変更されることもある。
【０００７】
上記のような場合に、特許文献１に記載された仕組みでは、都度設定テーブルを更新するのは手間がかかり、また、設定テーブルの更新内容を間違えた場合や、更新をしなかった場合に、誤った警告メッセージが出力されたり、誤った送信サイズで送信されたりすることになる。
【０００８】
そこで、本発明は、ファクシミリデータ送信時の適切なタイミングで送信先ごとの送信サイズを設定できる仕組みを提供することを目的とする。
【課題を解決するための手段】
【０００９】
本発明は、送信先ごとのファクシミリ送信サイズを記憶する記憶手段を備える情報処理装置であって、送信先に対してファクシミリデータを再送信する場合に、前回送信時とは異なる送信サイズが指定されたかを判定する判定手段と、前記異なる送信サイズが指定されたと判定された場合に、当該送信サイズを前記送信先に対するファクシミリ送信サイズとして登録するかを確認する画面を表示する表示制御手段とを備えることを特徴とする。
【発明の効果】
【００１０】
本発明によれば、ファクシミリデータ送信時の適切なタイミングで送信先ごとの送信サイズを設定できる仕組みを提供することが可能となる。
【図面の簡単な説明】
【００１１】
【図１】本発明におけるファクシミリシステムの構成の一例を示すブロック図である。
【図２】情報処理装置１０１、ファクシミリサーバ１０２に適用可能なハードウェア構成の一例を示すブロック図
【図３】ファクシミリ再送信処理の一例を示すフローチャート
【図４】送信先ごとの送信サイズ登録処理の一例を示すフローチャート
【図５】ファクシミリ送信処理の一例を示すフローチャート
【図６】送信先ごとの送信サイズ変更処理の一例を示すフローチャート
【図７】履歴による送信サイズ変更確認処理の一例を示すフローチャート
【図８】送信サイズテーブルの一例を示すデータ構成図
【図９】履歴テーブルの一例を示すデータ構成図
【図１０】送信サイズ登録確認画面の一例を示す画面イメージ
【図１１】送信サイズ変更確認画面の一例を示す画面イメージ
【発明を実施するための形態】
【００１２】
図１は、情報処理装置１０１、ファクシミリサーバ１０２を含むファクシミリシステムの一例を示すシステム構成図である。
【００１３】
本発明に好適な情報処理装置１０１は、例えば、パーソナルコンピュータであり、ネットワーク通信機能を備え、ＬＡＮ１０４（ローカルエリアネットワーク）を介してファクシミリサーバ１０２とデータ通信が可能である。
【００１４】
ファクシミリサーバ１０２は、公衆回線１０５を介してファクシミリ送受信機能を備えるＦＡＸ通信カード１０３を備えている。
【００１５】
送信データは、各情報処理装置１０１からＴＣＰ／ＩＰネットワークであるＬＡＮ１０４を経由してファクシミリサーバ１０２へ蓄積され、ＦＡＸ通信カード１０３を動作させることで、順次送信される。
【００１６】
受信データは、ファクシミリサーバ１０２に蓄積され、各情報処理装置１０１は当該受信したデータを閲覧し、編集（アノテーションの付加）することが可能である。
【００１７】
図２（ａ）は、情報処理装置１０１のハードウェア構成の一例を示す図である。（ｂ）は、ファクシミリサーバ１０２のハードウェア構成の一例を示す図である。
【００１８】
ＣＰＵ２０１は、システムバス２０４に接続される各デバイスやコントローラを統括的に制御する。
【００１９】
また、ＲＯＭ２０２あるいは外部メモリ２１１（記憶手段）には、ＣＰＵ２０１の制御プログラムであるＢＩＯＳ（Ｂａｓｉｃ  Ｉｎｐｕｔ／ＯｕｔｐｕｔＳｙｓｔｅｍ）やオペレーティングシステムプログラム（以下、ＯＳ）や、情報処理装置１０１の実行する機能を実現するために必要な後述する各種プログラム等が記憶されている。ＲＡＭ２０３は、ＣＰＵ２０１の主メモリ、ワークエリア等として機能する。
【００２０】
ＣＰＵ２０１は、処理の実行に際して必要なプログラム等をＲＡＭ２０３にロードして、プログラムを実行することで各種動作を実現するものである。
【００２１】
また、入力コントローラ（入力Ｃ）２０５は、キーボードや不図示のマウス等のポインティングデバイス等の入力デバイス２０９からの入力を制御する。
【００２２】
ビデオコントローラ（ＶＣ）２０６は、ディスプレイ２１０等の表示器への表示を制御する。表示器の種類はＣＲＴや、液晶ディスプレイを想定するが、これに限らない。
【００２３】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフレキシブルディスク（ＦＤ）或いはＰＣＭＣＩＡカードスロットにアダプタを介して接続されるカード型メモリ等の外部メモリ２１１へのアクセスを制御する。
【００２４】
ネットワークインターフェースコントローラ２０８は、ネットワークを介して、外部機器と接続・通信するものであり、ネットワークでの通信制御処理を実行する。例えば、ＴＣＰ／ＩＰを用いたインターネット通信等が可能である。
【００２５】
尚、ＣＰＵ２０１は、例えばＲＡＭ２０３内の表示情報用領域へアウトラインフォントの展開（ラスタライズ）処理を実行することにより、ディスプレイ２１０上での表示を可能としている。また、ＣＰＵ２０１は、ディスプレイ２１０上の不図示のマウスカーソル等でのユーザ指示を可能とする。
【００２６】
さらに、ファクシミリサーバ１０２においては、公衆回線を介してファクシミリ送信制御を行うＭＯＤＥＭ２０９が設けられている。このようなＭＯＤＥＭ２０９により、ファクシミリサーバ１０２からのファクシミリの送受信が行うことができる。
【００２７】
本発明のファクシミリサーバ１０２が後述する各種処理を実行するために用いられる各種プログラム等は外部メモリ２１１に記録されており、必要に応じてＲＡＭ２０３にロードされることによりＣＰＵ２０１によって実行されるものである。
【００２８】
さらに、本発明に係わるプログラムが用いる定義ファイルや各種情報テーブルは外部メモリ２１１に格納されている。
【００２９】
次に図３を用いて、本発明の実施形態であるファクシミリシステムにおけるファクシミリ再送信処理について説明する。
【００３０】
図３に示すフローチャートのステップＳ３０１〜Ｓ３０６の処理は、情報処理装置１０１のＣＰＵ２０１が所定の制御プログラムを読み出して実行する処理である。
【００３１】
ステップＳ３０７の処理は、ファクシミリサーバ１０２のＣＰＵ２０１が所定の制御プログラムを読み出して実行する処理である。
【００３２】
ステップＳ３０１では、情報処理装置１０１のＣＰＵ２０１は、ユーザからＦＡＸ再送信要求を受け付ける。具体的には、図９に示す履歴テーブル９００等をもとに送信済みのファクシミリデータを一覧表示したＦＡＸ送信履歴画面（不図示）において、ユーザに再送信するファクシミリデータを選択させることにより再送信要求を受け付け、ＦＡＸ送信画面（不図示）を表示する。
【００３３】
ステップＳ３０２では、情報処理装置１０１のＣＰＵ２０１は、ユーザからＦＡＸ送信画面においてファクシミリデータの送信サイズの変更を受け付けたか否かを判断する。つまり、前回に対象のファクシミリデータを送信した場合の送信サイズと、今回送信しようとしている送信サイズが異なるか否かを判断する。送信サイズの変更を受け付けた場合（ＹＥＳ）、ステップＳ３０３に処理を進め、そうでない場合（ＮＯ）、ステップＳ３０４に処理を進める。
【００３４】
ステップＳ３０３では、情報処理装置１０１のＣＰＵ２０１は、ＦＡＸ番号ごとの送信サイズ登録処理を実行する。
【００３５】
ステップＳ３０３の処理の詳細について、図４のフローチャートを用いて説明する。
【００３６】
図４は、ステップＳ３０３の処理の詳細を示すフローチャートである。
【００３７】
ステップＳ４０１では、情報処理装置１０１のＣＰＵ２０１は、図１０に示す送信サイズ登録確認画面を表示する。
【００３８】
図１０は、送信サイズ登録確認画面の一例を示す画面イメージである。
【００３９】
図１０の表示例は、初回送信時にＢ４サイズにて送信した後、送信先から連絡を受けて、初回送信したファクシミリデータを履歴から選択してＡ４サイズで再送信する場合を想定している。初回送信時のＢ４サイズから、再送信時の送信サイズがＡ４サイズに変更されているため、今回の送信先に対して次回以降も変更後のＡ４サイズをデフォルトサイズで送信するか否かを確認し、その諾否（はい１００２、または、いいえ１００３）を受け付ける。
【００４０】
図４の説明に戻る。
【００４１】
ステップＳ４０２では、情報処理装置１０１のＣＰＵ２０１は、図１０に示す確認画面において、はい１００２が選択されたか否かを判断する。はい１００２が選択された場合（ＹＥＳ）、ステップＳ４０３に処理を進め、そうでない場合（いいえ１００３が選択された場合。ＮＯ）、本処理フローを終了して、図３の処理フローに戻る。
【００４２】
ステップＳ４０３では、情報処理装置１０１のＣＰＵ２０１は、ＦＡＸ番号ごとの送信サイズを図８に示す送信サイズテーブルに書き込む。
【００４３】
図８は、送信サイズテーブルの一例を示すデータ構成図である。
【００４４】
送信サイズテーブル８００は、ＦＡＸ番号８０１、送信サイズ８０２を持つ。ＦＡＸ番号８０１は送信先のＦＡＸ番号、送信サイズ８０２は送信先ごとに設定されたファクシミリデータの送信サイズを示す。
【００４５】
図４の説明に戻る。
【００４６】
ステップＳ４０３では、送信サイズテーブル８００において、今回の送信先に対するＦＡＸ番号をＦＡＸ番号８０１にて検索し、レコードが存在する場合は、今回変更された送信サイズで送信サイズ８０２を更新し、レコードが存在しない場合は、今回の送信先に対するＦＡＸ番号、および、今回変更された送信サイズを、ＦＡＸ番号８０１、および、送信サイズ８０２として追加登録する。
【００４７】
以上で図４の処理フローを終了し、図３の処理フローに戻る。
【００４８】
ステップＳ３０４では、情報処理装置１０１のＣＰＵ２０１は、送信ファイルを作成する。ここで、ステップＳ３０２にて送信サイズの変更を受け付けた場合には、変更された送信サイズに合わせて送信ファイルを変換し、送信サイズの変更を受け付けていない場合には、前回送信時と同じ送信ファイルを作成、または、再利用する。
【００４９】
ステップＳ３０５では、情報処理装置１０１のＣＰＵ２０１は、作成された送信ファイルにもとづいて送信イメージ表示画面（不図示）に送信イメージを表示する。ここで、元原稿サイズ、送信サイズ等を補足情報として表示してもよい。
【００５０】
ステップＳ３０６では、情報処理装置１０１のＣＰＵ２０１は、送信ファイルをファクシミリサーバ１０２に登録する。
【００５１】
ステップＳ３０７では、ファクシミリサーバ１０２のＣＰＵ２０１は、ステップＳ３１２で登録された送信ファイルを当該ファイルの送信先に対してファクシミリ送信する。
【００５２】
上記の仕組みによれば、送信者であるユーザは、ＦＡＸ再送信時に、設定テーブルを意識することなく、送信先ごとの送信サイズを確実に設定することができる。
【００５３】
次に図５を用いて、本発明の実施形態であるファクシミリシステムにおけるファクシミリ送信処理について説明する。
【００５４】
図５に示すフローチャートのステップＳ５０１〜Ｓ５０５の処理は、情報処理装置１０１のＣＰＵ２０１が所定の制御プログラムを読み出して実行する処理である。
【００５５】
ステップＳ５０６の処理は、ファクシミリサーバ１０２のＣＰＵ２０１が所定の制御プログラムを読み出して実行する処理である。
【００５６】
ステップＳ５０１では、情報処理装置１０１のＣＰＵ２０１は、ユーザからＦＡＸ送信要求を受け付ける。具体的には、ＦＡＸ送信画面（不図示）から、送信先のＦＡＸ番号の選択または入力を受け付ける。また任意に原稿サイズ、送信サイズの指定を受け付ける。原稿サイズの指定がない場合、原稿サイズは、スキャンして読み込まれた原稿、または、データとして指定された原稿ファイルから取得する。送信サイズの指定がない場合、送信サイズは、初期値として原稿サイズと同じとするが、最終的な送信サイズは後続処理により決定される。
【００５７】
ステップＳ５０２では、情報処理装置１０１のＣＰＵ２０１は、送信先ごとの送信サイズ変更処理を実行する。
【００５８】
ステップＳ５０２の処理の詳細について、図６のフローチャートを用いて説明する。
【００５９】
図６は、ステップＳ５０２の処理の詳細を示すフローチャートである。
【００６０】
ステップＳ６０１では、情報処理装置１０１のＣＰＵ２０１は、送信サイズテーブル８００（図８）のＦＡＸ番号８０１について、送信先として指定されたＦＡＸ番号を検索する。
【００６１】
ステップＳ６０２では、情報処理装置１０１のＣＰＵ２０１は、ステップＳ６０１の検索の結果、送信サイズテーブル８００に、送信先として指定されたＦＡＸ番号が存在するか否かを判断する。存在する場合（ＹＥＳ）、ステップＳ６０３に処理を進め、存在しない場合（ＮＯ）、ステップＳ６０７に処理を進める。
【００６２】
ステップＳ６０３では、情報処理装置１０１のＣＰＵ２０１は、ステップＳ５０１にて送信サイズの指定があったか否かを判断する。送信サイズの指定があった場合（ＹＥＳ）、ステップＳ６０４に処理を進め、指定がなかった場合（ＮＯ）、ステップＳ６０６に処理を進める。
【００６３】
ステップＳ６０４では、情報処理装置１０１のＣＰＵ２０１は、ステップＳ５０１にて指定された送信サイズと、送信サイズテーブル８００の送信サイズ８０２に設定された送信サイズとの間に差異があるか否かを判断する。差異がある場合（ＹＥＳ）、ステップＳ６０５に処理を進め、差異がない場合（ＮＯ）、ステップＳ６０６に処理を進める。
【００６４】
ステップＳ６０５では、情報処理装置１０１のＣＰＵ２０１は、送信先ごとの送信サイズ登録処理を実行する。本処理は、図３のステップＳ３０３と同じ、つまり、図４のフローチャートで示す処理と同じであり、処理の流れとしては、図１０の送信サイズ登録確認画面を表示して、今回の送信先に対して今後も今回指定された送信サイズを使用するかを確認し、承諾されれば図８の送信サイズテーブル８００に対して登録、または、更新する。
【００６５】
ステップＳ６０６では、情報処理装置１０１のＣＰＵ２０１は、今回の送信サイズを、送信サイズテーブル８００に設定された指定されたＦＡＸ番号に対する送信サイズに変更する。なお、今回指定された送信サイズ、または、原稿サイズから自動設定された送信サイズが、指定されたＦＡＸ番号に対する送信サイズと同じ場合は変更する必要はない。
【００６６】
ステップＳ６０２にて、送信サイズテーブル８００に送信先として指定されたＦＡＸ番号が存在しない場合は、ステップＳ６０７の履歴によるサイズ変更確認処理を実行する。
【００６７】
ステップＳ６０７の処理の詳細について、図７のフローチャートを用いて説明する。
【００６８】
図７は、ステップＳ６０７の処理の詳細を示すフローチャートである。
【００６９】
ステップＳ７０１では、情報処理装置１０１のＣＰＵ２０１は、履歴テーブル９００（図９）のＦＡＸ番号９０１について、送信先として指定されたＦＡＸ番号を検索する。
【００７０】
図９は、履歴テーブルの一例を示すデータ構成図である。
【００７１】
履歴テーブル９００は、ＦＡＸ番号９０１、送信サイズ９０２、送信日時９０３を持つ。
【００７２】
ＦＡＸ番号９０１は送信先のＦＡＸ番号、送信サイズ９０２は送信したファクシミリデータの送信サイズ、送信日時９０３は送信した日時を示す。履歴テーブル９００は、ＦＡＸ送信が実行されるたびにレコードが登録される。
【００７３】
図７の説明に戻る。
【００７４】
ステップＳ７０２では、情報処理装置１０１のＣＰＵ２０１は、ステップＳ７０１の検索の結果、履歴テーブル９００に、送信先として指定されたＦＡＸ番号が存在するか否かを判断する。存在する場合（ＹＥＳ）、ステップＳ７０３に処理を進め、存在しない場合（ＮＯ）、本処理フローを終了する（終了して、図６の処理フローに戻る。以下同様）。
【００７５】
ステップＳ７０３では、情報処理装置１０１のＣＰＵ２０１は、今回の送信サイズと履歴から取得した送信サイズとの間に差異があるか否かを判断する。ここで、今回の送信サイズとは、ステップＳ５０１にて指定された送信サイズ、または、原稿から自動設定された送信サイズである。また比較する履歴の送信サイズについては、複数の履歴が存在する場合は、最新のものや、最も回数の多いものなど、所定の条件で選択する。
【００７６】
差異がある場合（ＹＥＳ）、ステップＳ７０４に処理を進め、差異がない場合(ＮＯ）、本処理フローを終了する。
【００７７】
ステップＳ７０４では、情報処理装置１０１のＣＰＵ２０１は、図１１に示す送信サイズ変更確認画面を表示して、ユーザからの操作を受け付ける。
【００７８】
図１１は、送信サイズ変更確認画面の一例を示す画面イメージである。
【００７９】
送信サイズ変更確認画面１１００は、送信先に対して送信サイズを履歴から取得した送信サイズに変換するかを確認するメッセージ１１０１を表示し、今回のみ変換１１０２、次回以降も変換１１０３、変換しない１１０４の３つのボタンで操作を受け付ける。
【００８０】
図７の説明に戻る。
【００８１】
ステップＳ７０５では、情報処理装置１０１のＣＰＵ２０１は、送信サイズ変更確認画面１１００で、今回のみ変換１１０２が選択されたか否かを判断する。選択された場合（ＹＥＳ），ステップＳ７０８に処理を進め、そうでない場合（別のボタンが選択された場合。ＮＯ）、ステップＳ７０６に処理を進める。
【００８２】
ステップＳ７０６では、情報処理装置１０１のＣＰＵ２０１は、送信サイズ変更確認画面１１００で、次回以降も変換１１０２が選択されたか否かを判断する。選択された場合（ＹＥＳ）、ステップＳ７０７に処理を進め、そうでない場合（変換しない１１０３が選択された場合。ＮＯ）、本処理フローを終了する。
【００８３】
ステップＳ７０７では、情報処理装置１０１のＣＰＵ２０１は、ＦＡＸ番号ごとの送信サイズを図８に示す送信サイズテーブルに書き込む。
【００８４】
ステップＳ７０８では、情報処理装置１０１のＣＰＵ２０１は、送信サイズをステップＳ７０１にて履歴テーブル９００から取得した送信サイズに変更する。
【００８５】
以上で図７の処理フローを終了し、図６の処理フローに戻る。
【００８６】
以上で図６の処理フローを終了し、図５の処理フローに戻る。
【００８７】
ステップＳ５０３では、情報処理装置１０１のＣＰＵ２０１は、送信ファイルを作成する。ここで、ステップＳ６０６またはＳ７０８にて送信サイズが変更された場合には、変更された送信サイズに合わせて送信ファイルを変換し、送信サイズが変更されていない場合には、原稿から取得した送信ファイルをそのまま使用するか、送信形式に従ってファイル形式の変換のみを行う。
【００８８】
ステップＳ５０４では、情報処理装置１０１のＣＰＵ２０１は、作成された送信ファイルにもとづいて送信イメージ表示画面（不図示）に送信イメージを表示する。ここで、元原稿サイズ、送信サイズ等を補足情報として表示してもよい。
【００８９】
ステップＳ５０５では、情報処理装置１０１のＣＰＵ２０１は、送信ファイルをファクシミリサーバ１０２に登録する。
【００９０】
ステップＳ５０６では、ファクシミリサーバ１０２のＣＰＵ２０１は、ステップＳ３１２で登録された送信ファイルを当該ファイルの送信先に対してファクシミリ送信する。
【００９１】
上記の仕組みによれば、送信者であるユーザは、ＦＡＸ送信時に、設定テーブルを意識することなく、送信先ごとの送信サイズを確実に設定することができる。また、送信先に対する送信サイズの変更が、今回の送信だけか、デフォルト設定とするかを指定することができる。
【００９２】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００９３】
また、本発明におけるプログラムは、各図に示すフローチャートの処理方法をコンピュータが実行可能なプログラムであり、本発明の記憶媒体は各図の処理方法をコンピュータが実行可能なプログラムが記憶されている。なお、本発明におけるプログラムは各図の各装置の処理方法ごとのプログラムであってもよい。
【００９４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００９５】
この場合、記録媒体から読み出されたプログラム自体が本発明の新規な機能を実現することになり、そのプログラムを記憶した記録媒体は本発明を構成することになる。
【００９６】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００９７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００９９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１００】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【０１０１】
なお、上述した各実施形態およびその変形例を組み合わせた構成も全て本発明に含まれるものである。
【符号の説明】
【０１０２】
１０１  情報処理装置
１０２  ファクシミリサーバ
１０３  ＦＡＸ通信カード
１０４  ＬＡＮ
１０５  公衆回線
【図１】
2019083377.tif 000003
【図２】
2019083377.tif 000004
【図３】
2019083377.tif 000005
【図４】
2019083377.tif 000006
【図５】
2019083377.tif 000007
【図６】
2019083377.tif 000008
【図７】
2019083377.tif 000009
【図８】
2019083377.tif 000010
【図９】
2019083377.tif 000011
【図１０】
2019083377.tif 000012
【図１１】
2019083377.tif 000013